(57)【要約】【課題】便器装置に設けた照明具による夜間照明をトイレの室内の状況にかかわらず適切な照度で行う。【解決手段】  便器装置１が設置されるトイレ室内の壁面あるいは床面を照らす照明具２と照度センサ２２とを備えるとともに、上記照明具２は上記照度センサ２２で測定される照度が予め設定された目標照度になるように照明具２の明るさを調整する制御部２１を備える。【選択図】図１
2015059369.tif 000002
【特許請求の範囲】
【請求項１】
便器装置が設置されるトイレ室内の壁面あるいは床面を照らす照明具と照度センサとを便器装置が備えるとともに、上記照明具は上記照度センサで測定される照度が予め設定された目標照度になるように照明具の明るさを調整する制御部を備えていることを特徴とする便器装置。
【請求項２】
上記制御部は、上記照明具に流す電流値の上記調整後の値を記憶する記憶部を備えており、上記照明具の次回点灯時の初期電流値を上記記憶部が記憶する電流値とするものであることを特徴とする請求項１記載の便器装置。
【発明の詳細な説明】
【技術分野】
【０００１】
本発明は、便器装置に関するものである。
【背景技術】
【０００２】
夜間の用便時にトイレの室内灯を点灯させた場合、明るすぎて覚醒してしまうことがある。これを防ぐために、便器装置そのものに低輝度の照明具を設けて、トイレの室内灯を点灯させなくても用便を行うことができるようにしたものが特許文献１に示されている。
【０００３】
この便器装置では、人体検知センサが人を検知すると、照度検出センサで測定した照度が所定値以下であれば、夜間用の点灯態様で照明具を点灯させ、測定した照度が所定値を超えていれば、昼間用の点灯態様で照明具を点灯させている。
【先行技術文献】
【特許文献】
【０００４】
【特許文献１】特開２０１２−１８４６５１号公報
【発明の概要】
【発明が解決しようとする課題】
【０００５】
便器装置に設けた照明具は、トイレの室内の床面や壁面を照らすことで照明することから、夜間のトイレ室内の明るさは、便器装置と壁面との距離や、壁面の光反射率等によって大きく変化する。このために、明るすぎたり暗すぎたりすることがある。
【０００６】
本発明は上記問題に鑑みてなされたもので、便器装置に設けた照明具による夜間照明をトイレの室内の状況にかかわらず適切な照度で行うことができる便器装置を提供することを課題とする。
【課題を解決するための手段】
【０００７】
本発明にかかる便器装置は、便器装置が設置されるトイレ室内の壁面あるいは床面を照らす照明具と照度センサとを備えるとともに、上記照明具は上記照度センサで測定される照度が予め設定された目標照度になるように照明具の明るさを調整する制御部を備えていることに特徴を有している。
【０００８】
上記制御部は、上記照明具に流す電流値の上記調整後の値を記憶する記憶部を備えており、上記照明具の次回点灯時の初期電流値を上記記憶部が記憶する電流値とするものであってもよい。
【発明の効果】
【０００９】
本発明によれば、トイレ室内の壁面と便器装置との距離や、壁面あるいは床面の光反射率の違いにかかわらず、ほぼ一定の照度の夜間照明を行うことができ、明るすぎたり暗すぎたりという状態を招くことがない。
【図面の簡単な説明】
【００１０】
【図１】本発明の実施の形態の一例の照明具に係るブロック回路図である。
【図２】同上の斜視図である。
【図３】同上の照明具と照度センサを示す断面図である。
【図４】同上の調整動作を示す説明図である。
【図５】同上の調整動作を示す説明図である。
【発明を実施するための形態】
【００１１】
以下本発明を図示実施例に基づいて説明すると、図２に示す便器装置１は、便鉢１５とこの便鉢１５の外周を囲む周壁１６とからなる便器本体１０に、便座１１及び便蓋１２を回動自在に連結したもので、その周壁１６部分には、１個もしくは複数個の照明具２を配してある。
【００１２】
トイレ室内の床面あるいは壁面を照らす照明具２は、図１及び図３に示すように、発光ダイオードからなる発光体２０を有する。また発光体２０の近傍に照度センサ２２を配している。また、照明具２は、照度センサ２２で検知される照度に応じて、発光体２０に流す電流を調整する制御部２１を備えている。
【００１３】
この制御部２１は、図４に示すように、照度センサ２２で検知される照度が予め設定された目標照度の範囲内となるように発光体２０の発光を電流の調整によって制御する。
【００１４】
照度センサ２２による照度測定及び上記電流調整は、図５に示すように、所定の時間間隔Ｔ１で行うとともに、目標照度となったことが複数回連続で確認された時には、目標照度への調整が完了したとして、その後は、時間間隔Ｔ２を広げた状態で照度測定を行うことが好ましい。なお、図５における「目標照度」は発光体２０の出力に換算したものを示している。
【００１５】
ここで、上記照度センサ２２で検知する照度は、発光体２０によって照らされた壁面あるいは床面を光源と見なした時の値である。このために、便器本体１（照明具２）から壁面や床面までの距離が遠ければ、あるいは壁面や床面の光反射率が低ければ、発光体２０に流す電流を増加させて明るくする。逆に壁面や床面までの距離が短かったり、壁面や床面の光反射率が高ければ、発光体２０に流す電流を低減させて暗くする。
【００１６】
従って、トイレの室内空間の大きさや、壁面あるいは床面の色等の影響を受けることなく、予め設定された目標照度の明るさの照明を常に得ることができる。また、トイレの壁面の内装が変更されたり、壁面沿いに物体が置かれたりしても、この変更に応じて発光体２０の輝度（明るさ）調整が自動的になされることから、目標照度の明るさの照明を得ることができる。
【００１７】
また、前記制御部２１は、図１に示すように、照度調整後の電流値を記憶する記憶部２３を備えて、この記憶部２３に記憶させた電流値を、次回に発光体２０を発光させる時の初期値とする。便器装置１の設置直後の最初の点灯時には、壁面の光反射率等の関係で、少々明るすぎたり暗すぎたりすることもあるが、この点灯中に目標照度の明るさに調整されるものであり、次回以降は点灯初期からほぼ適切な明るさを得ることができる。
【００１８】
なお、上記照明具２は、夜中に用便を行う場合で、室内灯を点灯させると明るすぎて覚醒してしまう事態を避けるために設けたものである。従って、人体検知センサ（図示せず）によってトイレ室内に人がいることが検知されるとともに、トイレ室内の照度が所定値以下の場合にのみ発光体２０を発光させて照明具２による照明を行う。人がいない場合や、人がいても日中やトイレの室内灯が点灯している場合は、発光体２０を発光させないのが、省電力の点で好ましい。
【００１９】
そして、人体検知センサによって人体がトイレ室内にいなくなったことが確認されれば、制御部２１は数分後に照明具２を消灯させる。
【００２０】
図示例では照度センサ２２を発光体２０の近傍に配置したものを示したが、これは発光体２０によって照らされる壁面（あるいは床面）での反射光による照明の照度を測定しやすくするためであり、適切に照度を測定できる場所であれば、どこに配していてもよい。
【００２１】
照明具２を複数設けている場合、単一の照度センサ２２の出力に応じて複数の照明具２の明るさ制御を行ってもよい。もちろん、各照明具２に照度センサ２２を付設して、個別に明るさ制御を行ってもよい。
【００２２】
このほか、人によっては予め設定した目標照度の明るさでは暗いと感じたり明るすぎると感じたりすることがあるために、目標照度を利用者が調整することができるようにしても良い。
【００２３】
照明具２は便器本体１０の周壁１６の内側に配置し、周壁１６に設けた透明窓、あるいは透明材で形成した周壁１６を通じて壁面や床面を照射するようにしてもよい。
【符号の説明】
【００２４】
１  便器装置
２  照明具
１０  便器本体
１１  便座
１２  便蓋
１５  便鉢
１６  周壁
２０  発光体
２１  制御部
２２  照度センサ
【図１】
2015059369.tif 000003
【図２】
2015059369.tif 000004
【図３】
2015059369.tif 000005
【図４】
2015059369.tif 000006
【図５】
2015059369.tif 000007